(57)【要約】      （修正有）【課題】椅子等に座った姿勢で膝上に載せても膝の周囲で回ってしまうのを防止でき、常に安定したポジションを確保させて気軽にドラム練習できるドラム練習器を提供する。【解決手段】両膝を合わせた外側相互の幅間隔にほぼ対応して略矩形板状に形成したベース部２と、ベース部２の表面に設けた弾性材料による表面打撃部３と、ベース部２の裏面に設けた弾性材料による裏面打撃部４と、ベース部２の側面に連結した保持ベルト５とを備える。保持ベルト５は、腰回り周囲長さにほぼ対応した長さを有し、表面打撃部３は、長手方向に沿った２／３部分がメイン打撃面部３Ａであり、残りの１／３部分がカウンター打撃面部３Ｂとする。ベース部２の側面をドラムに収まる程度の曲率で円弧状に面取加工する。ベース部２の側面には、振動によって音を発する発音体９を取付け可能とする取付部８を設ける。【選択図】図１
0003159087.tif 000002
【実用新案登録請求の範囲】
【請求項１】
両膝を合わせた外側相互の幅間隔に対応すべく略矩形板状に形成されたベース部と、ベース部の表面に設けられた弾性材料による表面打撃部と、ベース部の裏面に設けられた弾性材料による裏面打撃部と、ベース部の側面に連結された保持ベルトとを備えて成ることを特徴とするドラム練習器。
【請求項２】
保持ベルトは、腰回りの長さを有して成る請求項１記載のドラム練習器。
【請求項３】
表面打撃部は、長手方向に沿った２／３部分がメイン打撃面部であり、残りの１／３部分がカウンター打撃面部である請求項１または２記載のドラム練習器。
【請求項４】
ベース部の側面は、円形ドラムに収まる程度の曲率で円弧状に面取加工して成る請求項１乃至３のいずれか記載のドラム練習器。
【請求項５】
ベース部の側面には、振動によって音を発する発音体を取付け可能とする取付部を配した請求項１乃至４のいずれか記載のドラム練習器。
【請求項６】
両膝を合わせた外側相互の幅間隔に対応すべく略矩形板状に形成されたベース部と、ベース部の表面に設けられた弾性材料による表面打撃部と、ベース部の裏面に設けられた弾性材料による裏面打撃部と、ベース部の側面に連結された保持ベルトとを備えてドラム練習器を構成し、保持ベルトは腰回りの長さを有して成り、表面打撃部は長手方向に沿った２／３部分がメイン打撃面部であり、残りの１／３部分がカウンター打撃面部であり、ベース部の側面は円形ドラムに収まる程度の曲率で円弧状に面取加工して成り、ベース部の側面には振動によって音を発する発音体を取付け可能とする取付部を配して成ることを特徴とするドラム練習器。
【考案の詳細な説明】
【技術分野】
【０００１】
本考案は、例えば椅子に座った姿勢で膝上に載せた状態でドラム等の打楽器の練習ができるコンパクトサイズのドラム練習器に関する。
【背景技術】
【０００２】
従来、例えば自宅等でドラム等の各種打楽器の演奏を練習するとき、実際のドラムを使用して練習を行うとしても、その打撃音量の大きさ等を考えると周辺住宅に対する騒音公害の原因となるから、現実的にはかなり難しいことである。このため、実際のドラムのように叩いて練習のできるサイレントヘッドを備えたドラム練習器が初心者からアマチュア、プロまで毎日の練習に欠かせないグッズとなっている。このようなドラム練習器は実際のドラムを意識してその殆どが円形のものとして構成されている。
【０００３】
また、練習用のドラムとしては、例えば、特許文献１に開示されているように、奏者が所有している既存のドラムセットをサイレント型の練習用に改造したドラムヘッド装置が存在する。これは、叩いた際の衝撃音が自宅で使用して問題のないレベルまで吸収するヘッド素材製のサイレントヘッドを、演奏に支障をきたすことのない張力を保った状態で既存のドラムのシェルに張設して成るものであり、サイレントヘッドの振動がシェルに伝らないようサイレントヘッド自体の振動を自己相殺できる構造となっている。
【０００４】
また、特許文献２に開示されているように、ドラムおよびスネアドラムとしての機能を有し、しかも一般家庭でも練習を行うことができる消音機能を備えたドラムヘッドおよびドラムヘッドを用いた消音ドラムおよび消音スネアドラムが存在する。これは、ドラムヘッドとして金網または硬度が硬い材質の線材である例えばステンレス鋼線、ピアノ線、ニッケル線、あるいは金属以外の例えばカーボン繊維等で編んだ網状体を用いて、自体は発音性を持たない網状のドラムヘッドをドラムの胴に張る構造としている。
【先行技術文献】
【特許文献】
【０００５】
【特許文献１】登録実用新案第３０５５４４８号公報
【特許文献２】特開平１１−２１９１６８号公報
【考案の概要】
【考案が解決しようとする課題】
【０００６】
しかしながら、上述した従来におけるドラム練習器は実際のドラムを意識してその殆どが円形の構造としているため、座った姿勢で膝上に載せると安定性が悪く、ベルト等で膝上に固定してもベルトと共に膝の周囲で回ってしまい、常に安定したポジションを確保することができない。特に、ドラム練習器を片膝だけで固定すると、膝の回りに沿って回ってしまい、下方に向いてしまう等の不都合があった。このように打面の位置を維持しながらドラムの練習を行うことは容易でない。しかも、円形であるためバッグ等に入れた際にバッグ内でズレ動いてしまい、携帯するにも不便であった。
【０００７】
また、特許文献１に開示されている既存のドラムセットをサイレント型の練習用に改造したドラムヘッド装置の場合でも既存のドラムと変わらない大きさであるため、携帯に不便であり、しかも椅子に座った姿勢で膝上に載せて気軽に練習するというような簡易な構成ではないから、練習するための場所やスペースも限られてしまう。また、これをコンパクトに小型化したものもあるが、手軽に練習使用できるものではない。
【０００８】
さらに、特許文献２に開示されているような消音機能を備えたドラムヘッドおよびドラムヘッドを用いた消音ドラムおよび消音スネアドラムの場合、発音性を持たない網状のドラムヘッドをドラムの胴に張る構造としているから、大変高価なものとなる。しかも、これもまた既存のドラムと変わらない大きさであるため、携帯に不便であるという問題点を有していた。
【０００９】
そこで、本考案は叙上のような従来存した諸事情に鑑み創案されたもので、例えば座った姿勢で膝上に載せても位置ズレがなく、膝の周囲で回ってしまうこと等を防止して、常に安定したポジションを確保して気軽にドラムの練習を行うことができ、しかも簡易な構成とすることで安価で且つ携帯に便利なコンパクトサイズのドラム練習器を提供することを目的とする。
【課題を解決するための手段】
【００１０】
上述した課題を解決するために、本考案にあっては、両膝を合わせた外側相互の幅間隔に対応すべく略矩形板状に形成されたベース部２と、ベース部２の表面に設けられた弾性材料による表面打撃部３と、ベース部２の裏面に設けられた弾性材料による裏面打撃部４と、ベース部２の側面に連結された保持ベルト５とを備えて成るものである。
保持ベルト５は、腰回りの長さを有して成るものとすることができる。
表面打撃部３は、長手方向に沿った２／３部分がメイン打撃面部３Ａであり、残りの１／３部分がカウンター打撃面部３Ｂであるものとすることができる。
ベース部２の側面は、円形ドラムＤに収まる程度の曲率で円弧状に面取加工して成るものとすることができる。
ベース部２の側面には、振動によって音を発する発音体９を取付け可能とする取付部８を配したものとすることができる。
【００１１】
以上のように構成された本考案に係るドラム練習器にあって、両膝を合わせた外側相互の幅間隔に対応すべく略矩形板状に形成されたベース部２は、座った姿勢で膝上に載せた際の両膝を合わせた範囲内で保持され、表裏面の打撃部３，４のいずれかでドラムの練習を可能にさせる。
腰回りの長さを有している保持ベルト５は、例えば椅子に座った姿勢で腰に回すことで、膝上に載せたベース部２の安定したポジションを確保させると共に、膝の周囲で回ることなくしっかりと保持させるため、膝上に載せて練習しているときのベース部２の位置ズレを防止させる。
保持ベルト５は、腰回りの長さを有しているので、肩掛け保持用としても使用可能となり、ショルダーバッグのように肩に掛けての携帯も可能にさせる。
ベース部２の表裏面に設けられた弾性材料による表裏面の打撃部３，４は、消音性を有しているから、自宅や屋外等のいずれの場所でドラム練習をしても周辺住宅に対する騒音公害を生じさせない。
２／３部分のメイン打撃面部３Ａと１／３部分のカウンター打撃面部３Ｂとによって構成された表面打撃部３は、左右のリズム・チェックやドラム・セットをイメージしたエクササイズに対応可能にさせる。しかも、ベース部２の長手方向を膝上にて前後方向に向けて使用すれば、前後の移動エクササイズにも対応可能にさせる。
ベース部２の裏面に設けられた弾性材料による裏面打撃部４は、その全域で打撃練習を行なわせ、また、メイン打撃面部３Ａ、カウンター打撃面部３Ｂに区画された表面打撃部３、区画されていない裏面打撃部４の計３面のいずれかを選択させる。
弾性材料による表裏面の打撃部３，４は、膝上等に載せていずれかの打撃部３，４をスティックＳで叩いた際の打撃を吸収緩和させる。
側面を円弧状に面取加工して成るベース部２は、既存の実際上のドラムＤの上に載せて使用させ、既存のドラムＤを使用しても静穏状態で、しかもドラムＤ上から落下させずに安定した状態で練習させる。
ベース部２側面の取付部８に取付けた発音体９は、表面打撃部３をスティックＳで叩いた際の打撃による振動で音を発生させる。
【考案の効果】
【００１２】
本考案によれば、ドラム等の演奏の練習に際し、例えば椅子に座った姿勢で膝上に載せても位置ズレがなく、膝の周囲で回ってしまって例えば下方に向かうこともなく、常に安定したポジション位置を確保して気軽にドラムの練習を行うことができ、しかも簡易な構成とすることで安価で且つ携帯に便利なものとなる。
【００１３】
すなわち、これは本考案が、両膝を合わせた外側相互の幅間隔に対応すべく略矩形板状に形成されたベース部２と、ベース部２の表面に設けられた弾性材料による表面打撃部３と、ベース部２の裏面に設けられた弾性材料による裏面打撃部４と、ベース部２の側面に連結された保持ベルト５とを備えて成るからであり、これにより、座った姿勢で保持ベルト５を腰に回し、膝上に置くことで安定した打面を維持しながらドラムの練習を行うことができる。しかも、実際のドラムのように叩いても騒音公害の原因とならずに気軽に練習を行うことができる。また、保持ベルト５は携帯用のショルダーベルトとしても活用できる。さらに、ベース部２が両膝を合わせた外側相互の幅間隔に対応すべく略矩形板状に形成されているので、スティックケース等に収納して気軽に携帯することができ、しかも円形でないためバッグＶ等に入れても収納時の安定性を保持し、バッグＶ内でズレ動くことがない。
【００１４】
保持ベルト５は、腰回りの長さを有して成るので、例えば椅子に座った姿勢で膝上に載せてから保持ベルト５を腰に回すことでベース部２は膝上にしっかりと保持しておくことができ、これによってベース部２の打撃練習中に当該ベース部２が膝の周囲で回り、下方に向いてしまうのを未然に防止することができる。
【００１５】
表面打撃部３は、長手方向に沿った２／３部分がメイン打撃面部３Ａであり、残りの１／３部分がカウンター打撃面部３Ｂであるので、左右のリズム・チェックやドラム・セットをイメージしたエクササイズにも対応できる。また、長手方向を前後方向に向けて縦形式で使用すれば、前後の移動エクササイズにも使える。さらに、一般的な所謂パーティクルボードと称する合板材と違い、使う程に色やサウンドに変化があり、さらに味わい深いサウンドが生まれる。
【００１６】
裏面打撃部４は、表面打撃部３のように特に区画形成されていないことで、その全域を一つの打撃面として使用させ、表面打撃部３のメイン打撃面部３Ａ、カウンター打撃面部３Ｂと合わせて区画大きさが異なる計３面の打撃面を形成し、これらのいずれかを選択可能にして幅広い練習方法に対処できる。
【００１７】
表裏面の打撃部３，４は、いずれも弾性材料に形成されているから、ベース部２の表裏のいずれによって膝上に載せてスティックＳで打撃しても膝に対しての打撃を吸収緩和させ、膝等を痛めることもない。
【００１８】
ベース部２の側面は、円形ドラムＤに収まる程度の曲率で円弧状に面取加工して成るので、例えば１０インチの実際の円形ドラムＤ上に載置しても練習でき、しかも、打撃音が生じないから静穏状態で演奏の練習ができると共に、円形ドラムＤに多少の傾きがあっても常に安定したポジションを確保することができる。
【００１９】
ベース部２の側面には、振動によって音を発する発音体９を取付け可能とする取付部８を配したので、表面打撃部３をスティックＳで叩いた際の打撃による振動で周囲への騒音とならない程度の音を発生させることができ、適切なリズム音が得られる。
【００２０】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【図面の簡単な説明】
【００２１】
【図１】本考案を実施するための一形態におけるドラム練習器の一例を示す斜視図である。
【図２】同じくドラム練習器の平面図である。
【図３】同じく底面図である。
【図４】同じく正面図である。
【図５】同じく側面図である。
【図６】同じく使用状態を示す斜視図である。
【図７】同じく円形ドラム上に載せた状態を示す斜視図である。
【図８】同じく携帯する状態を示す斜視図である。
【図９】同じくバッグに収納する状態を示す斜視図である。
【考案を実施するための形態】
【００２２】
以下、図面を参照して本考案の実施の形態を詳細に説明すると、図において示される符号１は、本考案に係るドラム練習器であり、該ドラム練習器１は、図１乃至図５に示すように、両膝を合わせた外側相互の幅間隔と略同じ長さを有する略矩形板状のベース部２と、ベース部２の表面に配した表面打撃部３と、ベース部２の裏面に配した裏面打撃部４と、ベース部２の側面に連結された保持ベルト５とによって概ね構成されている。
【００２３】
具体的には、ベース部２は、例えばブビンガ材、イペ材、ウエンジ材等の素材による木製板材を使用し、長さ約２５３ｍｍ、幅約１０３ｍｍ、厚さ約１５ｍｍ程度のコンパクトサイズとなって形成されている。また、ベース部２は、長手方向に直角な両側が、例えば既存の１０インチの大きさのドラムＤの曲率に対応するように円弧状に面取加工されている。特に、ベース部２の素材としてドラムシェルにも使用されるブビンガ材等とすることで、一般的なパーティクルボード（合板材）と異なり、使用する程に色やサウンドに変化があり、味わい深いサウンドを得ることができる。尚、本考案は、このようなベース部２の素材、大きさ等によって限定されるものではないのは勿論である。
【００２４】
図２に示すように、ベース部２の表面には、長手方向に沿った２／３部分に、例えば白色を呈するゴム板・発泡性ウレタン樹脂等の弾性材料による厚さ約５ｍｍの主パッド材が貼着されたメイン打撃面部３Ａとし、残りの１／３部分には、例えば黒色を呈するＮＲゴム材等の弾性材料による厚さ約５ｍｍのカウンターパッド材が貼着されたカウンター打撃面部３Ｂとしてあり、これら両者によって表面打撃部３が構成されている。すなわち、これら主パッド材およびカウンターパッド材による表面打撃部３が打面としての第１，第２の模擬ドラムヘッドを構成している。
【００２５】
また、図３に示すように、ベース部２の裏面には、弾力性のある例えば発泡性ゴム製材等によって形成された厚さ約１０ｍｍの裏面打撃部４が貼着されていて、第３の模擬ドラムヘッドを構成している。
【００２６】
ベース部２の長手方向に沿った一方の側面には所謂ヒートンと称するアイボルト状のベルト連結具６が左右対称位置にねじ込ませることで設けられており、腰回りの長さを有する保持ベルト５の端部それぞれが各ベルト連結具６にフック７を介して脱着可能となるように取り付けられている。尚、保持ベルト５には、腰回りの長さに対応して適宜長さを調節できるよう当該保持ベルト５の中間部分に長さ調整部を設けても良い。
【００２７】
図１、図４に示すように、ベース部２における左右一対のベルト連結具６の略中間位置には、例えばロゴマークやネーミング等を附した金属プレート製の取付部８が付設されている。そして、取付部８には、表面打撃部３をスティックＳで叩いた際の振動によって発音可能とした発音体９が例えばマグネットや接着テープ等で脱着自在に取付けできるようになっている。
【００２８】
発音体９としては、マグネットによって金属製の取付部８に磁着可能とした例えばマグネットクリップ等が利用される。このマグネットクリップは、断面略ム字形に折曲形成されたクリップ体の内側に非磁性の係止用ロッドが遊装され、背面に磁石プレートを貼着して成るものであり、表面打撃部３をスティックＳで叩いた際の振動によって係止用ロッドがクリップ体の中で振動してクリップ体に当たることで、その衝撃音が発生するものである。尚、本考案は、発音体９としてこのような市販のマグネットクリップに限定されるものではないことは勿論であり、小型のシンバル・鈴・鐘等を採用することもできる。
【００２９】
次に、以上のように構成された形態についての使用の一例について説明すると、図１に示すように、ドラム練習器１のベース部２側面にあるベルト連結具６の一方に保持ベルト５の一方の端部をフック７を介して取り付けておき、椅子等に座った姿勢でドラム練習器１を、その表裏面の打撃部３，４のいずれか一方が上方に向くようにして膝上に載せ、保持ベルト５を腰に回してベルト連結具６の他方に保持ベルト５の他方の端部をフック７を介して取り付ける。このように腰の周囲に回した保持ベルト５によってドラム練習器１が膝上で安定に保持されている状態で、上方に向けられたいずれかの打撃部３，４をスティックＳで叩いて練習を行うのである（図６参照）。このとき、膝上面に直接に載せられた打撃部３，４の他方は、そのクッション機能によって膝等を保護する。更に、必要に応じて、打撃振動によって発音する発音体９をマグネットまたは接着テープ等によって取付部８に取付けておくと良い。
【００３０】
また、図７に示すように、ドラム練習器１を例えば１０インチの既存の円形ドラムＤの上に配置して実際的なドラム練習を行うこともできる。このとき、ベース部２の側面が円形ドラムＤに収まる程度の曲率で円弧状に面取加工してあるから、多少の傾きがあっても常に安定したポジションが確保される。
【００３１】
また、ドラム練習器１を携帯する際には、図８に示すように、保持ベルト５によってショルダーバッグのように肩に掛けて持ち運べば良い。あるいは、図９に示すように、ドラム練習器１をバッグＶに入れて携帯することもできる。さらには、ドラム練習器１をスティックケース等に収納して持ち運んでも良い。
【符号の説明】
【００３２】
Ｄ…ドラム                            Ｖ…バッグ
Ｓ…スティック
１…ドラム練習器                      ２…ベース部
３…表面打撃部                        ３Ａ…メイン打撃面部
３Ｂ…カウンター打撃面部              ４…裏面打撃部
５…保持ベルト                        ６…ベルト連結具
７…フック                            ８…取付部
９…発音体
【図１】
0003159087.tif 000003
【図２】
0003159087.tif 000004
【図３】
0003159087.tif 000005
【図４】
0003159087.tif 000006
【図５】
0003159087.tif 000007
【図６】
0003159087.tif 000008
【図７】
0003159087.tif 000009
【図８】
0003159087.tif 000010
【図９】
0003159087.tif 000011